(57)【要約】【課題】各表示装置を相互に通信接続することができない環境であっても遠隔操作装置の操作に応じて一部の表示装置を選択する。【解決手段】本発明の一態様は、遠隔操作装置と、複数の表示装置を備え、遠隔操作装置が、各表示装置に対する通常モード信号、選択中の１または複数の表示装置に対する選択操作モード信号、表示装置を探索中であることを示すサーチ信号、または、１または複数の表示装置を第１選択操作モードで動作させる選択操作モード移行信号を送信し、各表示装置が、第１通常モードまたは第１選択操作モードのいずれかで動作し、選択操作モード移行信号を受信した場合に第１選択操作モードで動作し、第１通常モードでは通常モード信号またはサーチ信号を受け付けて処理し、かつ、第１選択操作モードでは通常モード信号、サーチ信号または選択操作モード信号を受け付けて処理する表示システムである。【選択図】図１１
2019197106.tif 000002
【特許請求の範囲】
【請求項１】
遠隔操作装置と、複数の表示装置を備え、
前記遠隔操作装置が、各前記表示装置に対する通常モード信号、選択中の１または複数の前記表示装置に対する選択操作モード信号、前記表示装置を探索中であることを示すサーチ信号、または、１または複数の前記表示装置を第１選択操作モードで動作させる選択操作モード移行信号を送信し、
各前記表示装置が、第１通常モードまたは前記第１選択操作モードのいずれかで動作し、前記選択操作モード移行信号を受信した場合に前記第１選択操作モードで動作し、前記第１通常モードでは前記通常モード信号または前記サーチ信号を受け付けて処理し、かつ、前記第１選択操作モードでは前記通常モード信号、前記サーチ信号または前記選択操作モード信号を受け付けて処理する
表示システム。
【請求項２】
前記遠隔操作装置が、１または複数の前記表示装置を前記第１通常モードで動作させる選択操作モード解除信号を送信し、
各前記表示装置が、前記選択操作モード解除信号を受信した場合に前記第１通常モードで動作する
請求項１に記載の表示システム。
【請求項３】
各前記表示装置が、前記サーチ信号を受信した場合にその旨を表示する
請求項１または２に記載の表示システム。
【請求項４】
前記遠隔操作装置が、第２通常モード、第２選択操作モード、または、サーチモードのいずれかで動作し、前記第２通常モードで前記通常モード信号を送信し、前記第２選択操作モードで前記選択操作モード信号を送信し、かつ、前記サーチモードで前記サーチ信号を送信する
請求項１から３のいずれか１項に記載の表示システム。
【請求項５】
前記遠隔操作装置が、表示部を有し、
前記表示部が、現在の動作モードが前記第２通常モード、前記第２選択操作モード、または、前記サーチモードのいずれであるのかを表示する
請求項４に記載の表示システム。
【請求項６】
前記遠隔操作装置が、サーチボタンを有し、
前記サーチボタンが操作された場合、前記第２通常モードまたは前記第２選択操作モードのとき、前記サーチモードへ移行する
請求項４または５に記載の表示システム。
【請求項７】
前記遠隔操作装置が、切替ボタンと終了ボタンを有し、
前記切替ボタンが操作された場合、前記第２通常モードのとき前記第２選択操作モードへ移行し、前記第２選択操作モードのとき前記第２通常モードへ移行し、または、前記サーチモードのとき前記選択操作モード移行信号を送信し、
前記終了ボタンが操作された場合、前記第２選択操作モードのとき前記第２通常モードへ移行し、または、前記サーチモードのとき前記第２通常モードもしくは前記第２選択操作モードへ復帰する
請求項４から６のいずれか１項に記載の表示システム。
【請求項８】
前記選択操作モード信号が、前記選択操作モード信号であることを示す信号を前記通常モード信号に付加した信号である
請求項１から７のいずれか１項に記載の表示システム。
【請求項９】
第１通常モードまたは第１選択操作モードのいずれかで動作し、
遠隔操作装置が送信した、通常モード信号、選択操作モード信号、探索中であることを示すサーチ信号、または、前記第１選択操作モードでの動作を指示する選択操作モード移行信号を受信し、
前記選択操作モード移行信号を受信した場合に前記第１選択操作モードで動作し、前記第１通常モードでは前記通常モード信号または前記サーチ信号を受け付けて処理し、かつ、前記第１選択操作モードでは前記通常モード信号、前記サーチ信号または前記選択操作モード信号を受け付けて処理する
表示装置。
【請求項１０】
第１通常モードまたは第１選択操作モードのいずれかで動作し、選択操作モード移行信号を受信した場合に前記第１選択操作モードで動作し、前記第１通常モードでは通常モード信号またはサーチ信号を受け付けて処理し、かつ、前記第１選択操作モードでは前記通常モード信号、前記サーチ信号または選択操作モード信号を受け付けて処理する１または複数の表示装置に対し、
各前記表示装置に対する前記通常モード信号、選択中の１または複数の前記表示装置に対する前記選択操作モード信号、前記表示装置を探索中であることを示す前記サーチ信号、または、１または複数の前記表示装置を前記第１選択操作モードで動作させる前記選択操作モード移行信号を送信する
遠隔操作装置。
【請求項１１】
遠隔操作装置と複数の表示装置を備える表示システムを制御するする方法であって、
前記遠隔操作装置が、各前記表示装置に対する通常モード信号、選択中の１または複数の前記表示装置に対する選択操作モード信号、前記表示装置を探索中であることを示すサーチ信号、または、１または複数の前記表示装置を第１選択操作モードで動作させる選択操作モード移行信号を送信し、
各前記表示装置が、第１通常モードまたは前記第１選択操作モードのいずれかで動作し、前記選択操作モード移行信号を受信した場合に前記第１選択操作モードで動作し、前記第１通常モードでは前記通常モード信号または前記サーチ信号を受け付けて処理し、かつ、前記第１選択操作モードでは前記通常モード信号、前記サーチ信号または前記選択操作モード信号を受け付けて処理する
制御方法。
【発明の詳細な説明】
【技術分野】
【０００１】
本発明は、表示システム、表示装置、遠隔操作装置および制御方法に関する。
【背景技術】
【０００２】
複数の表示装置を平面的に並べて構成するマルチディスプレイにおいて、赤外線を利用した遠隔操作装置（以下、リモコンともいう）を用い、マルチディスプレイを構成する複数の表示装置から一部の表示装置のみを選択して操作したい場合がある。例えば、特許文献１に記載されているマルチディスプレイでは、リモコンが送信した信号の受信強度が、各表示装置にて検出される。そして、受信強度が最大の表示装置で、リモコンが発したコマンドが処理される。特許文献１に記載されているマルチディスプレイでは、各表示装置が親機または子機として設定される。そして、親機が、各子機から受信強度を取得して受信強度が最大の表示装置を選択し、選択した子機に対してコマンドを発行する。
【０００３】
また、特許文献２に記載されているマルチディスプレイでは、マスターディスプレイに各表示装置の配置画像が表示され、次のような操作等に応じて座標が取得され、取得された座標に基づいて設定変更を行う表示装置が選択される。特許文献２に記載されているマルチディスプレイでは、タッチパネルに対する操作、動きや位置を検知して検知した情報を送信するリモコンに対する操作、または、リモコンが発光する赤外光に基づき、座標が取得される。また、特許文献２に記載されているマルチディスプレイでは、マスターディスプレイから選択されたスレーブディスプレイに対して、リモコンの操作に応じたコマンドが送信される。
【先行技術文献】
【特許文献】
【０００４】
【特許文献１】特開２００５−２４５００８号公報
【特許文献２】特開２０１６−２０６４０６号公報
【発明の概要】
【発明が解決しようとする課題】
【０００５】
特許文献１および特許文献２に記載されているマルチディスプレイでは、親機またはマスターディスプレイが、リモコンの操作に応じて一部の表示装置を選択する。そして、親機またはマスターディスプレイから選択された子機またはスレーブディスプレイに対して、リモコンの操作に応じた情報が送信される。このため、特許文献１および特許文献２に記載されているマルチディスプレイは、各表示装置を相互に通信接続する必要がある。すなわち、特許文献１および特許文献２に記載されているマルチディスプレイは、各表示装置を相互に通信接続することができない環境では、リモコンの操作に応じて一部の表示装置を選択することができないという課題がある。
【０００６】
本発明は、上記事情に鑑みてなされたものであり、上記課題を解決することができる表示システム、表示装置、遠隔操作装置および制御方法を提供することを目的とする。
【課題を解決するための手段】
【０００７】
上記課題を解決するため、本発明の一態様は、遠隔操作装置と、複数の表示装置を備え、前記遠隔操作装置が、各前記表示装置に対する通常モード信号、選択中の１または複数の前記表示装置に対する選択操作モード信号、前記表示装置を探索中であることを示すサーチ信号、または、１または複数の前記表示装置を第１選択操作モードで動作させる選択操作モード移行信号を送信し、各前記表示装置が、第１通常モードまたは前記第１選択操作モードのいずれかで動作し、前記選択操作モード移行信号を受信した場合に前記第１選択操作モードで動作し、前記第１通常モードでは前記通常モード信号または前記サーチ信号を受け付けて処理し、かつ、前記第１選択操作モードでは前記通常モード信号、前記サーチ信号または前記選択操作モード信号を受け付けて処理する表示システムである。
【０００８】
また、本発明の一態様は、第１通常モードまたは第１選択操作モードのいずれかで動作し、遠隔操作装置が送信した、通常モード信号、選択操作モード信号、探索中であることを示すサーチ信号、または、前記第１選択操作モードでの動作を指示する選択操作モード移行信号を受信し、前記選択操作モード移行信号を受信した場合に前記第１選択操作モードで動作し、前記第１通常モードでは前記通常モード信号または前記サーチ信号を受け付けて処理し、かつ、前記第１選択操作モードでは前記通常モード信号、前記サーチ信号または前記選択操作モード信号を受け付けて処理する表示装置である。
【０００９】
また、本発明の一態様は、第１通常モードまたは第１選択操作モードのいずれかで動作し、選択操作モード移行信号を受信した場合に前記第１選択操作モードで動作し、前記第１通常モードでは通常モード信号またはサーチ信号を受け付けて処理し、かつ、前記第１選択操作モードでは前記通常モード信号、前記サーチ信号または選択操作モード信号を受け付けて処理する１または複数の表示装置に対し、各前記表示装置に対する前記通常モード信号、選択中の１または複数の前記表示装置に対する前記選択操作モード信号、前記表示装置を探索中であることを示す前記サーチ信号、または、１または複数の前記表示装置を前記第１選択操作モードで動作させる前記選択操作モード移行信号を送信する遠隔操作装置である。
【００１０】
また、本発明の一態様は、遠隔操作装置と複数の表示装置を備える表示システムを制御する方法であって、前記遠隔操作装置が、各前記表示装置に対する通常モード信号、選択中の１または複数の前記表示装置に対する選択操作モード信号、前記表示装置を探索中であることを示すサーチ信号、または、１または複数の前記表示装置を第１選択操作モードで動作させる選択操作モード移行信号を送信し、各前記表示装置が、第１通常モードまたは前記第１選択操作モードのいずれかで動作し、前記選択操作モード移行信号を受信した場合に前記第１選択操作モードで動作し、前記第１通常モードでは前記通常モード信号または前記サーチ信号を受け付けて処理し、かつ、前記第１選択操作モードでは前記通常モード信号、前記サーチ信号または前記選択操作モード信号を受け付けて処理する制御方法である。
【発明の効果】
【００１１】
本発明の各態様によれば、各表示装置を相互に通信接続することができない環境であっても、遠隔操作装置の操作に応じて一部の表示装置を選択することができる。
【図面の簡単な説明】
【００１２】
【図１】本発明の一実施形態に係る表示システムの構成例を示す平面図である。
【図２】図１に示すリモコン１の構成例を示すブロック図である。
【図３】図１に示す表示装置２の構成例を示すブロック図である。
【図４】図２に示すリモコン１の動作例を示すフローチャートである。
【図５】図２に示すリモコン１の動作例を示すフローチャートである。
【図６】図２に示すリモコン１の動作例を示すフローチャートである。
【図７】図２に示すリモコン１の動作状態の遷移例を示す模式図である。
【図８】図３に示す表示装置２の動作例を示すフローチャートである。
【図９】図３に示す表示装置２の動作状態の遷移例を示す模式図である。
【図１０】図１に示す表示システム１０の動作例を説明するための模式図である。
【図１１】本発明の一実施形態の基本的構成例を示すブロック図である。
【発明を実施するための形態】
【００１３】
以下、図面を参照して本発明の実施形態について説明する。図１は、本発明の一実施形態に係る表示システム１０の構成例を示す平面図である。図１に示す表示システム１０は、リモコン１と複数の表示装置２を備え、マルチディスプレイを構成する。複数の表示装置２は、例えば、１段４列の４台の表示装置２、２段４列の８台の表示装置２、３段４列の１２台の表示装置２等である。ただし、段数や列数は任意である。各表示装置２は、例えば、図示していない映像信号の供給装置から供給された映像信号に基づく画像を表示する。
【００１４】
リモコン１は、図示していない複数の操作ボタンを有し、各操作ボタンの操作に応じて赤外線信号を送信する。リモコン１が送信した赤外線信号は、例えば、角度Ａ１の範囲で照射され、一定の照射範囲Ａ２で表示装置２に到達する。図１に示す例では、網掛けして示す２列の表示装置２が、リモコン１が送信した赤外線信号を受信する。
【００１５】
次に、図２を参照して、図１に示すリモコン１の構成例について説明する。図２は、図１に示すリモコン１の構成例を示すブロック図である。図２に示すリモコン１は、操作部１１と、ＬＥＤ（発光ダイオード）表示部１２と、制御部１３と、赤外線信号送信部１４と、記憶部１５と、時間カウンタ１６を備える。
【００１６】
操作部１１は、サーチボタン１１１、切替ボタン１１２、ＥＸＩＴ（イグジット）ボタン１１３を含む複数の操作ボタンを有し、操作ボタンが操作された場合に、その旨を示す信号を制御部１３へ出力する。操作部１１が有する操作ボタンは、例えば、数字ボタン、エンターボタン、カーソルボタン、電源ボタン、入力切替ボタン、メニューボタン等である。なお、操作部１１または制御部１３は、例えばバッファメモリ等を用いて操作部１１に対する操作（以下、リモコン操作という）を時系列に記録し、操作ボタンに対する押下（シングルクリック）とダブルクリックの別を検知する機能を有する。
【００１７】
ＬＥＤ表示部１２は、１または複数のＬＥＤと駆動回路を有し、制御部１３が出力した所定の制御信号に応じて、各ＬＥＤを点灯、点滅、または消灯する。
【００１８】
制御部１３は、内部にＣＰＵ（中央処理装置）、記憶装置、入出力装置等を有し、記憶装置に記憶されているプログラムを実行することで、リモコン１内の各部を制御する。本実施形態において、制御部１３は、次のＬＥＤ制御に係る３つの動作モードのいずれかで動作してＬＥＤ表示部１２を制御する。ＬＥＤ制御に係る３つの動作モードは、ＬＥＤ点灯モード、ＬＥＤ消灯モード、およびＬＥＤ点滅モードである。ＬＥＤ点灯モードでは、制御部１３は、ＬＥＤ表示部１２を点灯させる。ＬＥＤ点滅モードでは、制御部１３は、ＬＥＤ表示部１２を一定の周期で点滅させる。ＬＥＤ消灯モードでは、制御部１３は、ＬＥＤ表示部１２を消灯させる。
【００１９】
赤外線信号送信部１４は、赤外線発光ダイオードと駆動回路を有し、制御部１３が出力した所定の制御信号に応じて、赤外線発光ダイオードから所定の変調信号を送信する。
【００２０】
記憶部１５は、１ビットの記憶領域であるモードレジスタ１５１とサーチレジスタ１５２を有する。
【００２１】
時間カウンタ１６は、所定の周期でカウントアップまたはダウンするカウンタであり、初期化時からの経過時間を計測する。
【００２２】
また、本実施形態のリモコン１は、次の３つの動作モードのいずれかに遷移しながら動作する。図７に示すように、３つの動作モードは、通常モード（Ｓ１１）と、選択操作モード（Ｓ１２）と、サーチモード（Ｓ１３）である。なお、図７は、図４〜図６を参照して後述するリモコン１の動作例におけるリモコン１の動作状態の遷移を示す模式図である。
【００２３】
通常モード（Ｓ１１）は、操作対象の表示装置２を限定しない動作モードである。一方、選択操作モード（Ｓ１２）は、操作者が選択した１または複数の表示装置２を操作対象として特定する動作モードである。また、サーチモード（Ｓ１３）は、リモコン１が送信している赤外線信号を受信している表示装置２を操作者が確認するための動作モードである。サーチモード（Ｓ１３）では、切替ボタン１１２、ＥＸＩＴボタン１１３等、操作部１１が有する特定の操作ボタンのみが有効となり、有効でない操作ボタンに対するリモコン操作は無効とされる。また、モードレジスタ１５１とサーチレジスタ１５２は、現在の動作モードが３つの動作モードのいずれであるかを示す。モードレジスタ１５１が「０」かつサーチレジスタ１５２が「０」の場合が通常モード（Ｓ１１）である。モードレジスタ１５１が「１」かつサーチレジスタ１５２が「０」の場合が選択操作モード（Ｓ１２）である。そして、モードレジスタ１５１が「０」または「１」で、サーチレジスタ１５２が「１」の場合がサーチモード（Ｓ１３）である。
【００２４】
通常モード（Ｓ１１）では、リモコン１は、操作部１１に対するリモコン操作に応じて所定の赤外線信号である通常モード信号を送信する。通常モード信号は、例えば、表示装置２における入力切替や音量制御等の通常のリモコン操作の信号である。
【００２５】
また、選択操作モード（Ｓ１２）では、リモコン１は、操作部１１に対するリモコン操作に応じて通常モード信号とは異なる選択操作モード信号を送信する。選択操作モード信号は、例えば、選択操作モード信号であることを示す所定の信号を通常モード信号に付加した信号である。例えば、操作部１１が有する同一の操作ボタンが操作された場合に、通常モードと選択操作モードで同一の通常モード信号が送信され、選択操作モードではさらに所定の信号がその通常モード信号に追加される。すなわち、選択操作モード信号は、基本的には通常モード信号と同じ信号である。ただし、選択操作モード（Ｓ１２）であることを示す信号を常に追加して送信することで、受け取った表示装置２で、図９に示す表示装置通常モード（Ｓ２１）と表示装置選択操作モード（Ｓ２２）のどちらのための信号なのかを見分けることが可能となる。なお、図９は、図８に示す後述する表示装置２の動作例における表示装置２の動作状態の遷移を示す模式図である。
【００２６】
また、サーチモード（Ｓ１３）では、リモコン１は、表示装置２を探索中であることを示すサーチ信号を送信する。サーチ信号は、リモコン１から送信される信号の範囲がどのあたりかを視認可能にするために送信する持続的な信号である。また、リモコン１は、一定時間、操作部１１に対するリモコン操作が無い場合、サーチ信号の送信を自動的に停止する。なお、リモコン１は、サーチ信号を、例えば、一定の周期で繰り返し自動的に送信してもよいし、操作部１１に対する所定のリモコン操作に応じて送信してもよい。本実施形態では、リモコン１が一定の周期で繰り返しサーチ信号を送信する状態を、サーチ信号出力モードという。サーチ信号出力モードに設定された場合、サーチ信号出力モードが解除されるまで、リモコン１は一定の周期で繰り返しサーチ信号を送信する。また、サーチ信号出力モードが解除された状態では、リモコン１はサーチ信号を送信しない。
【００２７】
また、リモコン１は、通常モード（Ｓ１１）または選択操作モード（Ｓ１２）でサーチボタン１１１が押下された場合、通常モード（Ｓ１１）または選択操作モード（Ｓ１２）からサーチモード（Ｓ１３）へ移行する。
【００２８】
また、リモコン１は、サーチモード（Ｓ１３）でＥＸＩＴボタン１１３が押下された場合、サーチモード（Ｓ１３）から通常モード（Ｓ１１）または選択操作モード（Ｓ１２）へ復帰する。ここで復帰とは、サーチモード（Ｓ１３）へ移行する前の動作状態（通常モード（Ｓ１１）または選択操作モード（Ｓ１２））へ移行することである。また、リモコン１は、サーチモード（Ｓ１３）に移行した後、所定時間、操作部１１に対するリモコン操作が無かった場合、サーチモード（Ｓ１３）から通常モード（Ｓ１１）または選択操作モード（Ｓ１２）へ復帰する。時間カウンタ１６は、この所定時間を計測するために用いられる。また、リモコン１は、選択操作モード（Ｓ１２）でＥＸＩＴボタン１１３が押下された場合、選択操作モード（Ｓ１２）から通常モード（Ｓ１１）へ移行する。
【００２９】
また、リモコン１は、サーチモード（Ｓ１３）で切替ボタン１１２が押下された場合（シングルクリックされた場合）、選択操作モード移行信号を送信する。選択操作モード移行信号は、表示装置２の動作モードを通常の動作モードである表示装置通常モード（Ｓ２１）から選択操作時の動作モードである表示装置選択操作モード（Ｓ２２）へ移行させることを、表示装置２に対して指示する信号である。また、リモコン１は、サーチモード（Ｓ１３）で切替ボタン１１２がダブルクリックされた場合、選択操作モード解除信号を送信する。選択操作モード解除信号は、表示装置２の動作モードを表示装置選択操作モード（Ｓ２２）から表示装置通常モード（Ｓ２１）へ移行することを、表示装置２に対して指示する信号である。また、リモコン１は、通常モード（Ｓ１１）または選択操作モード（Ｓ１２）で切替ボタン１１２が押下された場合、通常モード（Ｓ１１）と選択操作モード（Ｓ１２）を反転する。
【００３０】
なお、図２に示すリモコン１の構成は一例であって、例えば、制御部１３と記憶部１５と時間カウンタ１６を一体的に構成したり、制御部１３と操作部１１の一部の構成を一体化したりする等、各ブロックは、適宜、統合したり、分割したりすることができる。
【００３１】
次に、図３を参照して、図１に示す表示装置２の構成例について説明する。図３は、図１に示す表示装置２の構成例を示すブロック図である。図３に示す表示装置２は、赤外線信号受信部２１と、制御部２２と、表示部２３を備える。
【００３２】
赤外線信号受信部２１は、赤外線フォトダイオードと受信回路を有し、リモコン１が送信した赤外線信号を受信して、例えば１または０のデジタル信号に変換して、制御部２２へ出力する。制御部２２は、内部にＣＰＵ（中央処理装置）、記憶装置、入出力装置等を有し、記憶装置に記憶されているプログラムを実行することで、赤外線信号受信部２１の出力信号に基づき、表示部２３を制御する。表示部２３は、液晶パネル、有機ＥＬ（エレクトロルミネッセンス）パネル等の表示パネル、制御回路、映像信号の処理回路等を有し、例えば、図示していない映像信号の供給装置から供給された映像信号に基づく画像を表示する。また、表示部２３は、制御部２２から入力された所定の制御信号に基づき、所定の表示を行ったり、設定用の画面を表示したりする。
【００３３】
本実施形態の表示装置２は、上述した図９に示す２つの動作モードのいずれかに遷移しながら動作する。２つの動作モードは、表示装置通常モード（Ｓ２１）と、表示装置選択操作モード（Ｓ２２）である。表示装置通常モード（Ｓ２１）は、表示装置２が、リモコン１が送信した通常モード信号とサーチ信号を受け付けて処理する動作モードである。表示装置選択操作モード（Ｓ２２）は、表示装置２が、リモコン１が送信した通常モード信号と選択操作モード信号とサーチ信号を受け付けて処理する動作モードである。通常モード信号と選択操作モード信号に応じた処理は、例えば、入力信号の切替処理、音量の変更処理、メニュー画面を表示しての設定変更処理等である。また、サーチ信号に応じた処理は、例えば、表示部２３にサーチ信号を受信中である旨の画像を表示する処理等である。また、表示装置２は、リモコン１から選択操作モード移行信号を受信した場合に、動作モードを表示装置選択操作モード（Ｓ２２）へ移行させる。また、表示装置２は、リモコン１から選択操作モード解除信号を受信した場合に、動作モードを表示装置通常モード（Ｓ２１）へ移行させる。ただし、表示装置２は、例えば、表示装置選択操作モード（Ｓ２２）に設定された状態で、一定時間リモコン１から信号が送信されなかった場合、動作モードを表示装置通常モード（Ｓ２１）へ自動的に移行させるようにしてもよい。この場合、リモコン１は、選択操作モード解除信号を送信しなくてもよい。
【００３４】
次に、図４〜図６を参照して、図２に示すリモコン１の動作例について説明する。図４〜図６は、図２に示すリモコン１の動作例を示すフローチャートであり、図４〜図６に示すフローチャートは結合子Ａ、結合子Ｂおよび結合子Ｃで互いに接続されている。
【００３５】
図４〜図６に示す処理は、制御部１３が起動して所定の初期化処理を実行した後に実行される。なお、処理開始時に、モードレジスタ１５１は「０」に、サーチレジスタ１５２は「０」に、ＬＥＤ制御に係る動作モードは「ＬＥＤ消灯モード」にそれぞれ設定されている。また、処理開始時に、サーチ信号出力モードは解除されている。また、処理開始時に、時間カウンタ１６は、初期化された後、カウントを開始する。
【００３６】
処理が開始されると、制御部１３は、操作部１１に対して新たなリモコン操作があったか否かを判断する（ステップＳ１０１）。ステップＳ１０１の判断は、例えば所定の時間毎に繰り返し実行される。操作部１１に対してリモコン操作がなかった場合（ステップＳ１０１で「ＮＯ」の場合）、制御部１３は、時間カウンタ１６の値を確認し、所定時間が経過しているか否かを判断する（ステップＳ１１３）。所定時間が経過していた場合（ステップＳ１１３で「ＹＥＳ」の場合）、制御部１３は、サーチレジスタ１５２を「０」に設定し（ステップＳ１１４）、サーチ信号出力モードを解除する（ステップＳ１１５）。次に、制御部１３は、モードレジスタ１５１が「０」であるか否かを判断する（ステップＳ１１６）。モードレジスタ１５１が「０」である場合（ステップＳ１１６で「ＹＥＳ」の場合）、制御部１３は、ＬＥＤ制御に係る動作モードを「ＬＥＤ消灯モード」に設定し（ステップＳ１１７）、ステップＳ１０１の判断へ戻る。一方、モードレジスタ１５１が「０」でない場合（ステップＳ１１６で「ＮＯ」の場合）、制御部１３は、ＬＥＤ制御に係る動作モードを「ＬＥＤ点灯モード」に設定し（ステップＳ１１８）、ステップＳ１０１の判断へ戻る。他方、所定時間が経過していない場合（ステップＳ１１３で「ＮＯ」の場合）、制御部１３は、ステップＳ１０１の判断へ戻る。
【００３７】
ステップＳ１１３〜ステップＳ１１８の処理によって、制御部１３は、所定時間、操作部１１に対するリモコン操作が無かった場合、サーチモード（Ｓ１３）から通常モード（Ｓ１１）または選択操作モード（Ｓ１２）へ復帰する。なお、ステップＳ１１４では、サーチレジスタ１５２がすでに「０」に設定されている場合、制御部１３は、サーチレジスタ１５２に「０」を上書きしてもよいし、なにもしなくてもよい。また、ステップＳ１１５でのサーチ信号出力モードの解除、ステップＳ１１７でのＬＥＤ消灯モードの設定、および、ステップＳ１１８でのＬＥＤ点灯モードの設定についてもステップＳ１１４と同様である。
【００３８】
一方、操作部１１に対してリモコン操作があった場合（ステップＳ１０１で「ＹＥＳ」の場合）、制御部１３は、時間カウンタ１６を初期化して時間カウンタ１６のカウントを再度開始する（ステップＳ１０２）。次に、制御部１３は、サーチレジスタ１５２が「０」であるか否かを判断する（ステップＳ１０３）。サーチレジスタ１５２が「０」である場合（ステップＳ１０３で「ＹＥＳ」の場合）、制御部１３は、モードレジスタ１５１が「０」であるか否かを判断する（ステップＳ１０４）。モードレジスタ１５１が「０」である場合（ステップＳ１０４で「ＹＥＳ」の場合）、制御部１３は、操作部１１に対するリモコン操作が切替ボタン１１２の押下であったか否かを判断する（ステップＳ１０５）。切替ボタン１１２の押下でなかった場合（ステップＳ１０５で「ＮＯ」の場合）、制御部１３は、操作部１１に対するリモコン操作がサーチボタン１１１の押下であったか否かを判断する（ステップＳ１０６）。サーチボタン１１１の押下でなかった場合（ステップＳ１０６で「ＮＯ」の場合）、制御部１３は、操作部１１に対するリモコン操作の内容に応じて通常モード信号を赤外線信号送信部１４から送信し（ステップＳ１０７）、ステップＳ１０１の判断に戻る。
【００３９】
一方、サーチボタン１１１の押下であった場合（ステップＳ１０６で「ＹＥＳ」の場合）、制御部１３は、サーチレジスタ１５２を「１」に設定し（ステップＳ１０８）、ＬＥＤ制御に係る動作モードを「ＬＥＤ点滅モード」に設定し（ステップＳ１０９）、サーチ信号出力モードに設定して（ステップＳ１１０）、ステップＳ１０１の判断に戻る。
【００４０】
また、ステップＳ１０５の判断において、操作部１１に対するリモコン操作が切替ボタン１１２の押下であった場合（ステップＳ１０５で「ＹＥＳ」の場合）、制御部１３は、モードレジスタ１５１を「１」に設定し（ステップＳ１１１）、ＬＥＤ制御に係る動作モードを「ＬＥＤ点灯モード」に設定し（ステップＳ１１２）、ステップＳ１０１の判断に戻る。
【００４１】
図４において、ステップＳ１０３およびステップＳ１０４が、動作モードの設定が、通常モード（Ｓ１１）、選択操作モード（Ｓ１２）、またはサーチモード（Ｓ１３）のいずれであるかを判断する処理である。また、ステップＳ１０５〜ステップＳ１１２が、通常モード（Ｓ１１）における操作部１１のリモコン操作に応じた処理である。
【００４２】
また、ステップＳ１０３の判断において、サーチレジスタ１５２が「０」でなかった場合（ステップＳ１０３で「ＮＯ」の場合）、制御部１３は、図５に示すように、操作部１１に対するリモコン操作が切替ボタン１１２のダブルクリックであったか否かを判断する（ステップＳ１３１）。切替ボタン１１２のダブルクリックであった場合（ステップＳ１３１で「ＹＥＳ」の場合）、制御部１３は、選択操作モード解除信号を赤外線信号送信部１４から送信する（ステップＳ１３２）。操作部１１に対するリモコン操作が切替ボタン１１２のダブルクリックでなかった場合（ステップＳ１３１で「ＮＯ」の場合）、または、ステップＳ１３２の処理を行った後、制御部１３は、操作部１１に対するリモコン操作が切替ボタン１１２の押下（シングルクリック）であったか否かを判断する（ステップＳ１３３）。切替ボタン１１２の押下であった場合（ステップＳ１３３で「ＹＥＳ」の場合）、制御部１３は、選択操作モード移行信号を赤外線信号送信部１４から送信する（ステップＳ１３４）。
【００４３】
操作部１１に対するリモコン操作が切替ボタン１１２の押下でなかった場合（ステップＳ１３３で「ＮＯ」の場合）、または、ステップＳ１３４の処理を行った後、制御部１３は、操作部１１に対するリモコン操作がＥＸＩＴボタン１１３の押下であったか否かを判断する（ステップＳ１３５）。ＥＸＩＴボタン１１３の押下であった場合（ステップＳ１３５で「ＹＥＳ」の場合）、制御部１３は、サーチレジスタ１５２を「０」に設定し（ステップＳ１３６）、サーチ信号出力モードを解除する（ステップＳ１３７）。次に、制御部１３は、モードレジスタ１５１が「０」であるか否かを判断する（ステップＳ１３８）。モードレジスタ１５１が「０」である場合（ステップＳ１３８で「ＹＥＳ」の場合）、制御部１３は、ＬＥＤ制御に係る動作モードを「ＬＥＤ消灯モード」に設定し（ステップＳ１３９）、図４に示すステップＳ１０１の判断へ戻る。一方、モードレジスタ１５１が「０」でない場合（ステップＳ１３８で「ＮＯ」の場合）、制御部１３は、ＬＥＤ制御に係る動作モードを「ＬＥＤ点灯モード」に設定し（ステップＳ１４０）、図４に示すステップＳ１０１の判断へ戻る。他方、ＥＸＩＴボタン１１３の押下でなかった場合（ステップＳ１３５で「ＮＯ」の場合）、制御部１３は、図４に示すステップＳ１０１の判断へ戻る。
【００４４】
図５に示すステップＳ１３１〜ステップＳ１４０が、サーチモード（Ｓ１３）における操作部１１のリモコン操作に応じた処理である。
【００４５】
また、図４のステップＳ１０４の判断において、モードレジスタ１５１が「０」でなかった場合（ステップＳ１０４で「ＮＯ」の場合）、制御部１３は、図６に示すように、操作部１１に対するリモコン操作がＥＩＸＴボタン１１３の押下であったか否かを判断する（ステップＳ１５１）。ＥＩＸＴボタン１１３の押下でなかった場合（ステップＳ１５１で「ＮＯ」の場合）、制御部１３は、操作部１１に対するリモコン操作が切替ボタン１１２の押下であったか否かを判断する（ステップＳ１５２）。
【００４６】
切替ボタン１１２の押下でなかった場合（ステップＳ１５２で「ＮＯ」の場合）、制御部１３は、操作部１１に対するリモコン操作がサーチボタン１１１の押下であったか否かを判断する（ステップＳ１５３）。サーチボタン１１１の押下でなかった場合（ステップＳ１５３で「ＮＯ」の場合）、制御部１３は、操作部１１に対するリモコン操作の内容に応じて選択操作モード信号を赤外線信号送信部１４から送信し（ステップＳ１５４）、図４に示すステップＳ１０１の判断に戻る。
【００４７】
一方、サーチボタン１１１の押下であった場合（ステップＳ１５３で「ＹＥＳ」の場合）、制御部１３は、サーチレジスタ１５２を「１」に設定し（ステップＳ１５５）、ＬＥＤ制御に係る動作モードを「ＬＥＤ点滅モード」に設定し（ステップＳ１５６）、サーチ信号出力モードに設定して（ステップＳ１５７）、図４のステップＳ１０１の判断に戻る。
【００４８】
また、ステップＳ１５１の判断において操作部１１に対するリモコン操作がＥＸＩＴボタン１１３の押下であった場合（ステップＳ１５１で「ＹＥＳ」の場合）、または、ステップＳ１５２の判断において操作部１１に対するリモコン操作が切替ボタン１１２の押下であった場合（ステップＳ１５２で「ＹＥＳ」の場合）、制御部１３は、モードレジスタ１５１を「１」に設定し（ステップＳ１５８）、ＬＥＤ制御に係る動作モードを「ＬＥＤ点灯モード」に設定して（ステップＳ１５９）、図４のステップＳ１０１の判断に戻る。
【００４９】
図６に示すステップＳ１５１〜ステップＳ１５９が、選択操作モード（Ｓ１２）における操作部１１のリモコン操作に応じた処理である。
【００５０】
次に、図７を参照して、図４〜図６を参照して説明した図２に示すリモコン１の動作例における動作モードの遷移について説明する。
【００５１】
上述したように、図２に示すリモコン１は、図７に示すように、通常モード（Ｓ１１）、選択操作モード（Ｓ１２）、または、サーチモード（Ｓ１３）のいずれかで動作する。
【００５２】
通常モード（Ｓ１１）では、モードレジスタ１５１は「０」に、サーチレジスタ１５２は「０」に、また、ＬＥＤ制御に係る動作モードは「ＬＥＤ消灯モード」に設定される。また、通常モード（Ｓ１１）では、リモコン１は、操作部１１に対するリモコン操作に応じて通常モード信号を送信する。また、切替ボタン１１２が押下された場合、リモコン１は選択操作モード（Ｓ１２）へ移行する。また、サーチボタン１１１が押下された場合、リモコン１はサーチモード（Ｓ１３）へ移行する。
【００５３】
選択操作モード（Ｓ１２）では、モードレジスタ１５１は「１」に、サーチレジスタ１５２は「０」に、また、ＬＥＤ制御に係る動作モードは「ＬＥＤ点灯モード」に設定される。また、選択操作モード（Ｓ１２）では、リモコン１は、操作部１１に対するリモコン操作に応じて選択操作モード信号を送信する。また、切替ボタン１１２またはＥＸＩＴボタン１１３が押下された場合、リモコン１は通常モード（Ｓ１１）へ移行する。また、サーチボタン１１１が押下された場合、リモコン１はサーチモード（Ｓ１３）へ移行する。
【００５４】
サーチモード（Ｓ１３）では、モードレジスタ１５１は「０」または「１」に、サーチレジスタ１５２は「１」に、また、ＬＥＤ制御に係る動作モードは「ＬＥＤ点滅モード」に設定される。また、サーチモード（Ｓ１３）では、リモコン１は、サーチ信号出力モードに設定され、サーチ信号を持続的に送信する。また、サーチモード（Ｓ１３）で切替ボタン１１２が押下された場合、リモコン１は、選択操作モード移行信号を送信する。また、サーチモード（Ｓ１３）で切替ボタン１１２がダブルクリックされた場合、リモコン１は、選択操作モード解除信号を送信する。また、リモコン操作があった場合、リモコン１は、時間カウンタ１６を初期化する（ただし、図４に示す動作例では動作モードに関わらずリモコン操作があった場合に時間カウントが初期化される）。また、サーチモード（Ｓ１３）でＥＸＩＴボタン１１３が押下された場合または一定時間リモコン操作が無かった場合、モードレジスタ１５１が「０」のとき、リモコン１は、通常モード（Ｓ１１）へ移行する。また、サーチモード（Ｓ１３）でＥＸＩＴボタン１１３が押下された場合または一定時間リモコン操作が無かった場合、モードレジスタ１５１が「１」のとき、リモコン１は、選択操作モード（Ｓ１２）へ移行する。
【００５５】
次に、図８を参照して、図３に示す表示装置２の動作例について説明する。図８は、図３に示す表示装置２の動作例を示すフローチャートである。
【００５６】
図８に示す処理は、制御部２２が起動して所定の初期化処理を実行した後に実行される。なお、処理開始時に、表示装置２の動作モードは表示装置通常モード（Ｓ２１）に設定されている。
【００５７】
処理が開始されると、制御部２２は、赤外線信号受信部２１が新たな赤外線信号を受信したか否かを判断する（ステップＳ２０１）。赤外線信号受信部２１が新たな赤外線信号を受信した場合（ステップＳ２０１で「ＹＥＳ」の場合）、制御部２２は、受信した赤外線信号が選択操作モード移行信号であるか否かを判断する（ステップＳ２０２）。一方、赤外線信号受信部２１が新たな赤外線信号を受信していない場合（ステップＳ２０１で「ＮＯ」の場合）、制御部２２は、所定時間後にステップＳ２０１の判断を再度実行する。
【００５８】
選択操作モード移行信号である場合（ステップＳ２０２で「ＹＥＳ」の場合）、制御部２２は、表示装置２の動作モードを表示装置選択操作モード（Ｓ２２）に設定する（ステップＳ２０３）。選択操作モード移行信号でない場合（ステップＳ２０２で「ＮＯ」の場合）、または、ステップＳ２０３の処理を行った後、制御部２２は、受信した赤外線信号が選択操作モード解除信号であるか否かを判断する（ステップＳ２０４）。
【００５９】
選択操作モード解除信号である場合（ステップＳ２０４で「ＹＥＳ」の場合）、制御部２２は、表示装置２の動作モードを表示装置通常モード（Ｓ２１）に設定する（ステップＳ２０５）。選択操作モード解除信号でない場合（ステップＳ２０４で「ＮＯ」の場合）、または、ステップＳ２０５の処理を行った後、制御部２２は、表示装置２の動作モードが表示装置選択操作モード（Ｓ２２）であるか否かを判断する（ステップＳ２０６）。
【００６０】
表示装置２の動作モードが表示装置選択操作モード（Ｓ２２）である場合（ステップＳ２０６で「ＹＥＳ」の場合）、制御部２２は、受信した赤外線信号が選択操作モード信号であるか否かを判断する（ステップＳ２０７）。選択操作モード信号である場合（ステップＳ２０７で「ＹＥＳ」の場合）、制御部２２は、受信した選択操作モード信号に応じた処理を実行する（ステップＳ２０８）。一方、表示装置２の動作モードが表示装置選択操作モード（Ｓ２２）でない場合（ステップＳ２０６で「ＮＯ」の場合）、選択操作モード信号でない場合（ステップＳ２０７で「ＮＯ」の場合）、または、ステップＳ２０８の処理を行った後、制御部２２は、受信した赤外線信号が通常モード信号であるか否かを判断する（ステップＳ２０９）。
【００６１】
受信した赤外線信号が通常モード信号である場合（ステップＳ２０９で「ＹＥＳ」の場合）、制御部２２は、表示装置２の動作モードが表示装置選択操作モード（Ｓ２２）であるか否かを判断する（ステップＳ２１０）。表示装置選択操作モード（Ｓ２２）である場合（ステップＳ２１０で「ＹＥＳ」の場合）、制御部２２は、受信した通常モード信号に応じた処理を実行する（ステップＳ２１１）。また、表示装置選択操作モード（Ｓ２２）でない場合（ステップＳ２１０で「ＮＯ」の場合）、制御部２２は、受信した通常モード信号に応じた処理を実行する（ステップＳ２１２）。ここで、ステップＳ２１１での通常モード信号に応じた処理は、表示装置２の動作モードが表示装置選択操作モード（Ｓ２２）である場合における処理である。また、ステップＳ２１２での通常モード信号に応じた処理は、表示装置２の動作モードが表示装置通常モード（Ｓ２１）である場合における処理である。ステップＳ２１１とステップＳ２１２の処理は同一であってもよいし、異なっていてもよい。例えば、ステップＳ２１１およびステップＳ２１２において、制御部２２は、通常モード信号に応じた処理を実行する際に、表示装置２の動作モードを表示部２３に表示すること等ができる。
【００６２】
一方、通常モード信号でない場合（ステップＳ２０９で「ＮＯ」の場合）、または、ステップＳ２１１もしくはステップＳ２１２の処理を行った後、制御部２２は、受信した赤外線信号がサーチ信号であるか否かを判断する（ステップＳ２１３）。受信した赤外線信号がサーチ信号である場合（ステップＳ２１３で「ＹＥＳ」の場合）、制御部２２は、表示装置２の動作モードが表示装置選択操作モード（Ｓ２２）であるか否かを判断する（ステップＳ２１４）。表示装置選択操作モード（Ｓ２２）である場合（ステップＳ２１４で「ＹＥＳ」の場合）、制御部２２は、受信したサーチモード信号に応じた処理を実行する（ステップＳ２１５）。また、表示装置選択操作モード（Ｓ２２）でない場合（ステップＳ２１４で「ＮＯ」の場合）、制御部２２は、受信した通常モード信号に応じた処理を実行する（ステップＳ２１６）。ここで、ステップＳ２１５でのサーチ信号に応じた処理は、表示装置２の動作モードが表示装置選択操作モード（Ｓ２２）である場合における処理である。また、ステップＳ２１６でのサーチモード信号に応じた処理は、表示装置２の動作モードが表示装置通常モード（Ｓ２１）である場合における処理である。ステップＳ２１５とステップＳ２１６の処理は同一であってもよいし、異なっていてもよい。例えば、ステップＳ２１５およびステップＳ２１６において、制御部２２は、通常モード信号に応じた処理を実行する際に、表示装置２の動作モードを表示部２３に表示すること等ができる。
【００６３】
また、受信した赤外線信号がサーチ信号でない場合（ステップＳ２１３で「ＮＯ」の場合）、または、ステップＳ２１５もしくはステップＳ２１６の処理を行った後、制御部２２は、ステップＳ２０１の判断に戻る。
【００６４】
次に、図９を参照して、図８を参照して説明した図３に示す表示装置２の動作例における動作モードの遷移について説明する。
【００６５】
上述したように、図３に示す表示装置２は、図９に示すように、表示装置通常モード（Ｓ２１）、または、表示装置選択操作モード（Ｓ２２）のいずれかで動作する。
【００６６】
表示装置通常モード（Ｓ２１）では、表示装置２は、リモコン１から通常モード信号を受信した場合、通常モード信号に応じた所定の処理を実行する。また、表示装置２は、リモコン１からサーチモード信号を受信した場合、サーチモード信号に応じた所定の処理を実行する。また、表示装置２は、リモコン１から選択操作モード移行信号を受信した場合、表示装置選択操作モード（Ｓ２２）へ移行する。
【００６７】
表示装置選択操作モード（Ｓ２２）では、表示装置２は、リモコン１から通常モード信号を受信した場合、通常モード信号に応じた所定の処理を実行する。また、表示装置２は、リモコン１から選択操作モード信号を受信した場合、選択操作モード信号に応じた所定の処理を実行する。また、表示装置２は、リモコン１からサーチモード信号を受信した場合、サーチモード信号に応じた所定の処理を実行する。また、表示装置２は、リモコン１から選択操作モード解除信号を受信した場合、表示装置通常モード（Ｓ２１）へ移行する。
【００６８】
次に、図１０を参照して、図１に示す表示システム１０の動作例について説明する。なお、図１０は、図１に示す表示装置２を、４台の表示装置２ａ、２ｂ、２ｃおよび２ｄとして示す。また、図１に示すリモコン１の位置や向きを変化させた状態を、リモコン１ａ、１ｂおよび１ｃとして示す。リモコン１ａは、図１および図１０に示すリモコン１の向きを回転した状態である。リモコン１ｂは、リモコン１の位置を表示装置２ａの前方に移動させた状態である。リモコン１ｃは、リモコン１ｂの位置を表示装置２ａに接近させた状態である。
【００６９】
例えば、表示装置２ａ〜２ｄのうち、表示装置２ｃおよび２ｄを選択して操作したい場合、操作者は、リモコン１に対して次のリモコン操作を行う。なお、リモコン操作開始段階で、リモコン１の動作モードは通常モード（Ｓ１１）であり（ＬＥＤ表示部１２は消灯表示であり）、表示装置２の動作モードは表示装置通常モード（Ｓ２１）であるとする。
【００７０】
まず、操作者は、例えばサーチボタン１１１を押下する。ここで、リモコン１はサーチモード（Ｓ１３）へ移行し、ＬＥＤ表示部１２を点滅表示にするとともに、サーチ信号を持続的に送信する。ここで、このサーチ信号を受信した表示装置２は、サーチ信号を受信している旨を表示する。次に、操作者は、リモコン１の向きを回転してリモコン１ａの状態とし、表示装置２ｃと表示装置２ｄがサーチ信号を受信している旨を表示していることを確認する。
【００７１】
次に、操作者は、切替ボタン１１２を押下する。ここで、リモコン１ａは、選択操作モード移行信号を送信し、この選択操作モード移行信号を受信した表示装置２ｃと表示装置２ｄの動作モードが、表示装置選択操作モード（Ｓ２２）へ移行する。次に、操作者は、ＥＸＩＴボタン１１３を押下する。ここで、リモコン１ａは、通常モード（Ｓ１１）に復帰し、ＬＥＤ表示部１２を消灯表示にする。次に、操作者は、切替ボタン１１２を押下する。ここで、リモコン１ａは、選択操作モード（Ｓ１２）に移行し、ＬＥＤ表示部１２を点灯表示にする。ここで、操作者が操作部１１に対してリモコン操作を行うと、リモコン１ａは、そのリモコン操作に応じて選択操作モード信号を送信する。表示装置２ｃと表示装置２ｄは、リモコン１ａが送信した選択操作モード信号を受信して、選択操作モード信号に応じた処理を実行する。
【００７２】
次に、表示装置２ｃと表示装置２ｄに対するリモコン操作が完了した場合、操作者は、サーチボタン１１１を押下する。ここで、リモコン１ａはサーチモード（Ｓ１３）へ移行し、ＬＥＤ表示部１２を点滅表示にするとともに、サーチ信号を持続的に送信する。ここで、操作者は、表示装置２ｃと表示装置２ｄがサーチ信号を受信している旨を表示していることを確認して、切替ボタン１１２をダブルクリックする。ここで、リモコン１ａは、選択操作モード解除信号を送信し、この選択操作モード解除信号を受信した表示装置２ｃと表示装置２ｄの動作モードが、表示装置通常モード（Ｓ２１）へ移行する。
【００７３】
また、表示装置２ａ〜２ｄのうち、表示装置２ａを選択して操作したい場合、操作者は、リモコン１に対して次のリモコン操作を行う。なお、リモコン操作開始段階で、リモコン１の動作モードは通常モード（Ｓ１１）であり（ＬＥＤ表示部１２は消灯表示であり）、表示装置２の動作モードは表示装置通常モード（Ｓ２１）であるとする。
【００７４】
まず、操作者は、リモコン１を表示装置２ａの前方のリモコン１ｂの位置まで移動する。次に、操作者は、サーチボタン１１１を押下する。ここで、リモコン１ｂはサーチモード（Ｓ１３）へ移行し、ＬＥＤ表示部１２を点滅表示にするとともに、サーチ信号を持続的に送信する。ここで、このサーチ信号を受信した表示装置２ａと表示装置２ｂは、サーチ信号を受信している旨を表示する。次に、操作者は、リモコン１ｂの位置を表示装置２ａに接近させ、リモコン１ｃの状態とし、表示装置２ａのみがサーチ信号を受信している旨を表示していることを確認する。
【００７５】
次に、操作者は、切替ボタン１１２を押下する。ここで、リモコン１ｃは、選択操作モード移行信号を送信し、この選択操作モード移行信号を受信した表示装置２ａの動作モードが、表示装置選択操作モード（Ｓ２２）へ移行する。次に、操作者は、ＥＸＩＴボタン１１３を押下する。ここで、リモコン１ｃは、通常モード（Ｓ１１）に復帰し、ＬＥＤ表示部１２を消灯表示にする。次に、操作者は、切替ボタン１１２を押下する。ここで、リモコン１ｃは、選択操作モード（Ｓ１２）に移行し、ＬＥＤ表示部１２を点灯表示にする。ここで、操作者が操作部１１に対してリモコン操作を行うと、リモコン１ｃは、そのリモコン操作に応じて選択操作モード信号を送信する。表示装置２ａは、リモコン１ｃが送信した選択操作モード信号を受信して、選択操作モード信号に応じた処理を実行する。
【００７６】
次に、表示装置２ａに対するリモコン操作が完了した場合、操作者は、サーチボタン１１１を押下する。ここで、リモコン１ｃはサーチモード（Ｓ１３）へ移行し、ＬＥＤ表示部１２を点滅表示にするとともに、サーチ信号を持続的に送信する。ここで、操作者は、表示装置２ａがサーチ信号を受信している旨を表示していることを確認して、切替ボタン１１２をダブルクリックする。ここで、リモコン１ｃは、選択操作モード解除信号を送信し、この選択操作モード解除信号を受信した表示装置２ａの動作モードが、表示装置通常モード（Ｓ２１）へ移行する。
【００７７】
図１０を参照して説明したように、本実施形態の表示システム１０では、サーチ信号を受け取った表示装置２は、その間受信した旨を表示装置２に表示し続ける。この表示を見ながらリモコン１の位置を調節すれば、サーチライトで照らすように選択したい表示装置２のみを確実に操作可能な位置までリモコン１を移動させることができる。リモコン１から送信するサーチ信号は画面表示を一定時間出すだけで、表示装置２のその他の設定を変更しない。したがって、サーチ信号は、リモコン１を移動させている間に他の表示装置２にはみ出ても問題はない。
【００７８】
以上のように、本実施形態の表示システム１０は、複数の表示装置２を平面的に並べて構成するマルチディスプレイを構成する。この表示システム１０では、赤外線を利用したリモコン１を用い、マルチディスプレイを構成する複数の表示装置２から一部の表示装置２のみを選択してリモコン１で直接に操作を行うことができる。リモコン１は、リモコン１から送信された赤外線信号の送信範囲をリアルタイムに可視化するための持続的な信号であるサーチ信号を送信する。また、リモコン１は、サーチ信号の送信を指示するための送信ボタンであるサーチボタン１１１を備える。表示装置２は、サーチ信号を受信した場合にその間のみ画面上に受信状態を表示する処理を実行する。操作者は、サーチ信号受信の画面表示を見ながら操作を行いたい表示装置２のみに画面表示が出るようリモコン１の方向を調整することができる。
【００７９】
また、リモコン１は、通常の信号である通常モード信号と、選択した表示装置２に対する信号である選択操作モード信号を送信する。この選択操作モード信号は、例えば、所定の信号と通常モード信号の組み合わせから構成することができる。一方、表示装置２は、通常モード信号を受信して処理するが、選択操作モード信号は処理しない表示装置通常モード（Ｓ２１）、または、通常モード信号と選択操作モード信号の両方を処理する表示装置選択操作モード（Ｓ２２）の２つの動作モードのいずれかで動作する。また、リモコン１は、通常モード（Ｓ１１）と、選択操作モード（Ｓ１２）を切り替えるための切替ボタン１１２とＥＸＩＴボタン１１３を備える。また、リモコン１は、サーチモード（Ｓ１３）において切替ボタン１１２の操作に応じて、表示装置通常モード（Ｓ２１）と、表示装置選択操作モード（Ｓ２２）を切り替えるための信号を送信する。操作者は、サーチボタン１１１を押下した後、操作したい表示装置２のみにリモコン１を向けることができた場合、リモコン１を用いて表示装置２の動作モードを表示装置選択操作モード（Ｓ２２）に設定する。ここで、操作者は、選択した表示装置２に対してリモコン操作を行うことができる。
【００８０】
本実施形態によれば、表示装置２の相互接続を行うことなくとも、また、ＩＤ（識別符号）の振り分けを行わずとも、操作したい表示装置２のみが受信・処理可能な信号を送信して操作することが簡便に可能となる。
【００８１】
表示装置に直接リモコンを向けた場合、リモコンの赤外線は広がりを持って送信され、また信号の範囲が目に見えないために、操作の必要が無い表示装置も操作してしまう可能性がある。また、複数台を同時操作したい場面、たとえば離れている２台を同時に操作することは困難である。これに対して、本実施形態によれば、サーチ信号を用いてリモコン角度を容易に調整することができる。また、離間した複数台を同時操作する場合でも、それぞれを順次、表示装置選択操作モード（Ｓ２２）に移行させれば、それらの間に選択していない表示装置が位置する場合でも操作対象から除外することができる。
【００８２】
また、表示装置にあらかじめＩＤを振り分ける場合、ＩＤを振り分けたり解除したりするための専用装置の用意と取り付け、さらにＩＤの振り分けの手間が必要で煩雑である。これに対し、本実施形態では、ＩＤの振り分けが必要ない。あるいは、リモコン１を用いてＩＤを振り分ける場合に、より簡易にＩＤ振り分けを行うことができる。
【００８３】
また、例えば、リモコンから絶えず操作を行うことでリモコン信号が送信されている範囲を確認しながら特定の表示装置を操作することはできるが、リモコンの向きがずれた場合等、操作の必要が無い表示装置を操作してしまう可能性がある。これに対し、本実施形態では、リモコン１をサーチモード（Ｓ１３）で動作させることで、その問題を容易に回避することができる。
【００８４】
また、特許文献１に記載されている構成では、それぞれの表示装置を相互に接続する必要があるが、マルチディスプレイでは必ずしもそれぞれの表示装置を相互に接続するとは限らないため、使用環境に制限が生じる。これに対し、本実施形態では、それぞれの装置を相互に接続せずとも可能であり、赤外線が届く範囲であれば使用環境に制限が生じない。
【００８５】
また、マルチディスプレイでは複数台中の何台かの表示装置を選んで同時操作したい場合もあるが、特許文献１に記載されている構成ではもっとも信号を強く検出した表示装置のみ信号を実行する仕様なので不可能である。これに対し、本実施形態では、複数台を表示装置選択操作モード（Ｓ２２）に移行させることで同時操作が簡便に可能となる。
【００８６】
また、特許文献１に記載されている構成では、リモコンを向ける方向があいまいだったり、それぞれの信号受信部が密に配置されていたりする等の場合によっては操作したくない表示装置を誤操作する可能性がある。これに対し、本実施形態では、リモコン１の動作モードにサーチモード（操作部１１に対するリモコン操作に応じて通常モード信号を送信しない動作モード）（Ｓ１１）を設けたことにより誤操作の問題が無い。
【００８７】
また、特許文献２に記載されている構成では、リモコン操作は常に１台（マスターディスプレイ）に対してのみ行うので、直感的操作ではなく煩雑である。これに対し、本実施形態では、操作したい表示装置２に直接リモコン１を向けて操作可能で直感的操作である。
【００８８】
また、特許文献２に記載されている構成では、それぞれの表示装置を相互に接続する必要があり、使用環境に制限が生じている。これに対し、本実施形態では、相互接続の必要はない。
【００８９】
また、特許文献２に記載されている構成では、動きや位置を検知して検知した情報を送信する機能を有する特殊なリモコンが必要であり、コストがかかる。これに対し、本実施形態では、動きや位置を検知して検知した情報を送信する機能を有していなくてよく、コストを低減することができる。
【００９０】
次に、図１１を参照して、本発明の実施形態の基本的構成例について説明する。図１１は、本発明の実施形態の基本的構成例を示すブロック図である。図１１に示す表示システム１００は、遠隔操作装置１０１と、複数の表示装置１０２を備える。遠隔操作装置１０１は、通常モード信号、選択操作モード信号、サーチ信号、または、選択操作モード移行信号を送信する。通常モード信号は、各表示装置１０２に対する信号である。選択操作モード信号は、選択中の１または複数の表示装置１０２に対する信号である。サーチ信号は、表示装置１０２を探索中であることを示す信号である。また、選択操作モード移行信号は、１または複数の表示装置１０２を第１選択操作モードで動作させる信号である。また、各表示装置１０２は、第１通常モードまたは第１選択操作モードのいずれかで動作し、選択操作モード移行信号を受信した場合に第１選択操作モードで動作する。各表示装置１０２は、第１通常モードでは通常モード信号またはサーチ信号を受け付けて処理し、かつ、第１選択操作モードでは通常モード信号、サーチ信号または選択操作モード信号を受け付けて処理する。
【００９１】
上記構成によれば、まず、遠隔操作装置１０１の操作によって、遠隔操作装置１０１から選択操作モード移行信号を送信し、操作対象となる表示装置１０２の動作モードを第１選択操作モードに移行させる。次に、遠隔操作装置１０１から選択操作モード信号を送信することで、操作対象を選択して表示装置１０２を操作することができる。したがって、各表示装置１０２を相互に通信接続することができない環境であっても、遠隔操作装置１０１の操作に応じて一部の表示装置１０２を選択することができる。
【００９２】
なお、図１１に示す表示システム１００においては次のように各構成を変形（限定）してもよい。
【００９３】
すなわち、表示システム１００の変形例として、遠隔操作装置１０１は、１または複数の表示装置１０２を第１通常モードで動作させる選択操作モード解除信号を送信し、各表示装置１０２が、選択操作モード解除信号を受信した場合に第１通常モードで動作するようにしてもよい。この構成によれば、例えば、操作者が任意のタイミングで表示装置１０２の動作モードを第１選択操作モードから第１通常モードへ移行させることができる。
【００９４】
また、各表示装置１０２が、サーチ信号を受信した場合にその旨を表示するようにしてもよい。この構成によれば、遠隔操作装置１０１をサーチライトのように使用して遠隔操作装置１０１が送信したサーチ信号を受信している表示装置１０２を操作者が確認することができる。
【００９５】
また、遠隔操作装置１０１は、第２通常モード、第２選択操作モード、または、サーチモードのいずれかで動作し、第２通常モードで通常モード信号を送信し、第２選択操作モードで選択操作モード信号を送信し、かつ、サーチモードでサーチ信号を送信するようにしてもよい。この構成によれば、遠隔操作装置１０１が、サーチモードでは、通常モード信号と選択操作モード信号を送信しないようにすることができる。よって、サーチ信号を送信する際に、選択していない表示装置１０２が誤って操作されることを容易に防止することができる。
【００９６】
また、遠隔操作装置１０１は、表示部を有し、表示部が、現在の動作モードが第２通常モード、第２選択操作モード、または、サーチモードのいずれであるのかを表示するようにしてもよい。この構成によれば、表示部の表示よって、操作者は、容易に遠隔操作装置１０１の動作モードを確認することができる。
【００９７】
また、遠隔操作装置１０１は、サーチボタンを有し、サーチボタンが操作された場合、第２通常モードまたは第２選択操作モードのとき、サーチモードへ移行する。この構成によれば、操作者は、サーチボタンを操作することで、分かりやすい操作と任意のタイミングで遠隔操作装置１０１の動作モードをサーチモードへ移行させることができる。
【００９８】
また、遠隔操作装置１０１は、切替ボタンと終了ボタンを有し、切替ボタンが操作された場合、第２通常モードのとき第２選択操作モードへ移行し、第２選択操作モードのとき第２通常モードへ移行し、または、サーチモードのとき選択操作モード移行信号を送信してもよい。また、遠隔操作装置１０１は、終了ボタンが操作された場合、第２選択操作モードのとき第２通常モードへ移行し、または、サーチモードのとき第２通常モードもしくは第２選択操作モードへ復帰するようにしてもよい。この構成によれば、操作者は、分かりやすい操作と任意のタイミングで、遠隔操作装置１０１の動作モードを各モードへ移行させたり、遠隔操作装置１０１から選択操作モード移行信号を送信させたりすることができる。
【００９９】
また、選択操作モード信号は、選択操作モード信号であることを示す信号を通常モード信号に付加した信号としてもよい。
【０１００】
なお、図１１に示す表示システム１００またはその変形例の構成や動作と、図１〜図９に示す表示システム１０の各構成や動作の対応関係は次のとおりである。なお、以下で説明していない名称が同一の構成や動作については、基本的に互いに対応している。図１１に示す表示システム１００は、図１に示す表示システム１０に対応する。図１１に示す遠隔操作装置１０１は、図１に示すリモコン１に対応する。図１１に示す表示装置１０２は、図１に示す表示装置２に対応する。図１１に示す表示システム１００における第１通常モードは、図９に示す表示装置通常モード（Ｓ２１）に対応する。図１１に示す表示システム１００における第１選択操作モードは、図９に示す表示装置選択操作モード（Ｓ２２）に対応する。図１１に示す表示システム１００の変形例における第２通常モードは、図７に示す通常モード（Ｓ１１）に対応する。図１１に示す表示システム１００の変形例における第２選択操作モードは、図７に示す選択操作モード（Ｓ１２）に対応する。図１１に示す表示システム１００の変形例において遠隔操作装置１０１が有する表示部は、図２に示すＬＥＤ表示部１２に対応する。図１１に示す表示システム１００の変形例において遠隔操作装置１０１が有する終了ボタンは、図２に示すＥＸＩＴボタン１１３に対応する。
【０１０１】
以上、この発明の実施形態を図面を参照して詳述してきたが、具体的な構成はこの実施形態に限られるものではなく、この発明の要旨を逸脱しない範囲の設計等も含まれる。例えば、サーチボタン１１１、切替ボタン１１２、またはＥＸＩＴボタン１１３は、例えば、既存の操作ボタンの同時押下や順次押下等によって実現してもよい。また、例えば、図２に示す操作部１１は、タッチパネルで構成されていてもよい。その場合、例えば、ＬＥＤ表示部１２を省略し、そのタッチパネル上に動作モードを表示してもよい。また、例えば、図５のステップＳ１３４において、制御部１３は、選択操作モード移行信号を送信するとともに、モードレジスタ１５１を「１」に設定し、かつ、ＬＥＤ制御に係る動作モードを「ＬＥＤ点灯モード」に設定してもよい。この場合、リモコン１は、次のリモコン操作を受け付けた場合に、選択操作モード信号を送信することができる。
【０１０２】
また、図２に示すリモコン１は、例えば、赤外線信号を送信する機能を有するスマートフォンやタブレット等の端末と、その端末で実行されるプログラムの組み合わせによって構成することができる。この場合、その端末で実行されるプログラムの一部または全部は、コンピュータ読み取り可能な記録媒体、通信回線等を介して頒布することができる。
【符号の説明】
【０１０３】
１０、１００  表示システム
１  リモコン
１０１  遠隔操作装置
２、１０２  表示装置
１１１  サーチボタン
１１２  切替ボタン
１１３  ＥＸＩＴボタン
【図１】
2019197106.tif 000003
【図２】
2019197106.tif 000004
【図３】
2019197106.tif 000005
【図４】
2019197106.tif 000006
【図５】
2019197106.tif 000007
【図６】
2019197106.tif 000008
【図７】
2019197106.tif 000009
【図８】
2019197106.tif 000010
【図９】
2019197106.tif 000011
【図１０】
2019197106.tif 000012
【図１１】
2019197106.tif 000013